(57)【要約】      （修正有）【課題】画像形成時のサイズエラーを防止する画像形成装置を提供する。【解決手段】画像形成装置２０は、トレイに収容されている記録媒体の媒体サイズ情報６６ａを記憶するメモリ６６と、供給ローラによって供給された記録媒体に対して、受信された印刷ジョブデータ中の画像データに基づいて画像を形成する画像形成部、を備えている。更に、画像形成装置２０は、記憶された媒体サイズ情報６６ａが、受信された印刷ジョブデータ中の媒体サイズに対応しているか否かを判定する第１判定部５２ｂと、走行センサにより検知された供給中の記録媒体のサイズが、媒体サイズに対応しているか否かを判定する第２判定部５２ｃと、取得された判定指示情報に基づいて、第１判定部５２ｂに判定させずに、第２判定部５２ｃに判定させる判定制御部５２ａと、を備えている。【選択図】図１
2014240192.tif 000002
【特許請求の範囲】
【請求項１】
記録媒体を収容する媒体収容部と、
前配媒体収容部に収容されている前記記録媒体のサイズを示す第１サイズ情報を記憶する記憶部と、
画像データと、前記画像データの画像形成に関するサイズの情報である第２サイズ情報と、を含む印刷データを外部装置から受信する受信部と、
前記媒体収容部に収容されている前記記録媒体を供給する媒体供給部と、
前記媒体供給部により供給された前記記録媒体に対して、前記画像データに基づく画像を形成する画像形成部と、
前記媒体供給部による前記記録媒体の供給中に、当該供給中の記録媒体のサイズを検知する検知部と、
前記記憶部に記憶された前記第１サイズ情報が、前記印刷データに含まれる前記第２サイズ情報に対応しているか否かを判定する第１判定部と、
前記検知部により検知された前記サイズの情報が、前記印刷データに含まれる前記第２サイズ情報に対応しているか否かを判定する第２判定部と、
判定指示情報を取得する取得部と、
前記判定指示情報に基づいて、前記第１判定部に判定させずに、前記第２判定部に判定させる判定制御部と、
を備えることを特徴とする画像形成装置。
【請求項２】
前記第２サイズ情報は、画像形成対象となる前記記録媒体のサイズを示す情報であることを特徴とする請求項１に記載の画像形成装置。
【請求項３】
前記第２サイズ情報は、前記画像データの描画サイズを示す情報であることを特徴とする請求項１に記載の画像形成装置。
【請求項４】
前記判定制御部は、
前記第１判定部又は前記第２判定部の少なくとも１つで、前記第２サイズ情報に対応していないと判定されると、その旨を示す情報を出力することを特徴とする請求項１〜３のいずれか１項に記載の画像形成装置。
【請求項５】
前記判定制御部は、
前記判定指示情報に基づいて、
前記第１判定部に判定させずに前記第２判定部に判定させるか、
前記第１判定部に判定させて前記第２判定部に判定させるか、
又は、前記第１判定部に判定させずに前記第２判定部に判定させないか、
のいずれか１つを選択することを特徴とする請求項１〜４のいずれか１項に記載の画像形成装置。
【請求項６】
前記第１判定部により前記第１サイズ情報が前記第２サイズ情報に対応していないと判定された場合、前記検知部に対して前記供給中の前記記録媒体のサイズを検知させ、前記第１サイズ情報を前記検知されたサイズの情報に書き換える書換部を、更に備えることを特徴とする請求項１〜５のいずれか１項に記載の画像形成装置。
【請求項７】
前記印刷データは、更に、前記判定指示情報を含み、
前記取得部は、前記印刷データを解析して前記判定指示情報を取得することを特徴とする詰求項１〜６のいずれか１項に記載の画像形成装置。
【請求項８】
画像形成装置と情報処理装置とが通信可能に接続された画像形成システムであって、
前記画像形成装置は、
記録媒体を収容する媒体収容部と、
前記媒体収容部に収容されている前記記録媒体のサイズを示す第１サイズ情報を記憶する記憶部と、
画像データと、前記画像データの画像形成に関するサイズの情報である第２サイズ情報と、判定指示情報と、を含む印刷データを前記情報処理装置から受信する受信部と、
前記媒体収容部に収容されている前記記録媒体を供給する媒体供給部と、
前記媒体供給部により供給された前記記録媒体に対して、前記画像データに基づく画像を形成する画像形成部と、
前記媒体供給部による前記記録媒体の供給中に、当該供給中の記録媒体のサイズを検知する検知部と、
前記記憶部に記憶された前記第１サイズ情報が、前記印刷データに含まれる前記第２サイズ情報に対応しているか否かを判定する第１判定部と、
前記検知部により検知された前記サイズの情報が、前記印刷データに含まれる前記第２サイズ情報に対応しているか否かを判定する第２判定部と、
前記印刷データを解析して前記判定指示情報を取得する取得部と、
前記判定指示情報に基づいて、前記第１判定部に判定させずに、前記第２判定部に判定させる判定制御部と、
を備え、
前記情報処理装置は、
前記第１判定部に判定させずに、前記第２判定部に判定させる旨を指定する指定部と、
前記指定部による指定に基づく前記判定指示情報と、前記画像データと、前記第２サイズ情報と、に基づいて、前記印刷データを生成する生成部と、
前記生成部により生成された前記印刷データを前記画像形成装置に送信する送信部と、
を備えることを特徴とする画像形成システム。
【請求項９】
前記判定制御部は、
前記判定指示情報に基づいて、
前記第１判定部に判定させずに前記第２判定部に判定させるか、
前記第１判定部に判定させて前記第２判定部に判定させるか、
又は、前記第１判定部に判定させずに前記第２判定部に判定させないか、
のいずれか１つを選択し、
前記指定部は、
前記第１判定部に判定させずに前記第２判定部に判定させるか、
前記第１判定部に判定させて前記第２判定部に判定させるか、
又は、前記第１判定部に判定させずに前記第２判定部に判定させないか、
のいずれか１つを指定することを特徴とする請求項８に記載の画像形成システム。
【請求項１０】
前記情報処理装置は、更に、表示部を備え、
前記指定部は、前記表示部に、
第１の選択肢として、前記第１判定部に判定させずに前記第２判定部に判定させる旨の選択肢を、
第２の選択肢として、前記第１判定部に判定させて前記第２判定部に判定させる旨の選択肢を、
第３の選択肢として、前記第１判定部に判定させずに前記第２判定部に判定させない旨の選択肢を、表示させることを特徴とする請求項９に記載の画像形成システム。
【請求項１１】
前記指定部は、デフォルトの選択として前記第２の選択肢が選択された状態で、前記表示部に、前記第１の選択肢、前記第２の選択肢、及び前配第３の選択肢を表示させることを特徴とする請求項１０に記載の画像形成システム。
【発明の詳細な説明】
【技術分野】
【０００１】
本発明は、複数サイズの記録媒体を収容可能な媒体収容部を具備し、この媒体収容部から記録媒体を繰り出して印刷を行う画像形成装置、及びこの画像形成装置と上位装置とを通信可能に接続した画像形成システムに関するものである。
【背景技術】
【０００２】
従来、複数サイズの記録媒体を収容可能な媒体収容部を有する画像形成装置において、記録媒体のサイズを変更する場合には、媒体収容部に該当する記録媒体を収容後、変更した記録媒体のサイズの検出が自動判別できないものは、該当する記録媒体のサイズを操作パネルでメニュー画面表示に割り付け設定し、及び（又は）サイズダイヤルを該当する記録媒体のサイズに更新して割り付け設定を行っていた。
【先行技術文献】
【特許文献】
【０００３】
【特許文献１】特開２００９−２２６６６５号公報
【発明の概要】
【発明が解決しようとする課題】
【０００４】
しかしながら、従来の画像形成装置及び画像形成システムでは、ユーザが正しい記録媒体を媒体収容部へ収容した後に、該当する記録媒体のサイズのメニュー画面表示への割り付け設定が正しく行われなかった場合や、媒体収容部へ収容した記録媒体のサイズを忘れてしまった場合に、メニュー画面表示に基づいて、画像形成の動作を実行すると、サイズエラーが発生する可能性が生じる。そのため、画像形成装置において、サイズエラーが発生すると、煩雑なリカバリ作業が必要になる。
【課題を解決するための手段】
【０００５】
本発明の画像形成装置は、記録媒体を収容する媒体収容部と、前配媒体収容部に収容されている前記記録媒体のサイズを示す第１サイズ情報を記憶する記憶部と、画像データと、前記画像データの画像形成に関するサイズの情報である第２サイズ情報と、を含む印刷データを外部装置から受信する受信部と、前記媒体収容部に収容されている前記記録媒体を供給する媒体供給部と、前記媒体供給部により供給された前記記録媒体に対して、前記画像データに基づく画像を形成する画像形成部と、を備えている。
【０００６】
更に、本発明の画像形成装置は、前記媒体供給部による前記記録媒体の供給中に、当該供給中の記録媒体のサイズを検知する検知部と、前記記憶部に記憶された前記第１サイズ情報が、前記印刷データに含まれる前記第２サイズ情報に対応しているか否かを判定する第１判定部と、前記検知部により検知された前記サイズの情報が、前記印刷データに含まれる前記第２サイズ情報に対応しているか否かを判定する第２判定部と、判定指示情報を取得する取得部と、前記判定指示情報に基づいて、前記第１判定部に判定させずに、前記第２判定部に判定させる判定制御部と、を備えている。
【０００７】
本発明の画像形成システムは、画像形成装置と情報処理装置とが通信可能に接続されている。
【０００８】
前記画像形成装置は、記録媒体を収容する媒体収容部と、前記媒体収容部に収容されている前記記録媒体のサイズを示す第１サイズ情報を記憶する記憶部と、画像データと、前記画像データの画像形成に関するサイズの情報である第２サイズ情報と、判定指示情報と、を含む印刷データを前記情報処理装置から受信する受信部と、前記媒体収容部に収容されている前記記録媒体を供給する媒体供給部と、前記媒体供給部により供給された前記記録媒体に対して、前記画像データに基づく画像を形成する画像形成部と、を備えている。
【０００９】
更に、前記画像形成装置は、前記媒体供給部による前記記録媒体の供給中に、当該供給中の記録媒体のサイズを検知する検知部と、前記記憶部に記憶された前記第１サイズ情報が、前記印刷データに含まれる前記第２サイズ情報に対応しているか否かを判定する第１判定部と、前記検知部により検知された前記サイズの情報が、前記印刷データに含まれる前記第２サイズ情報に対応しているか否かを判定する第２判定部と、前記印刷データを解析して前記判定指示情報を取得する取得部と、前記判定指示情報に基づいて、前記第１判定部に判定させずに、前記第２判定部に判定させる判定制御部と、を備えている。
【００１０】
前記情報処理装置は、前記第１判定部に判定させずに、前記第２判定部に判定させる旨を指定する指定部と、前記指定部による指定に基づく前記判定指示情報と、前記画像データと、前記第２サイズ情報と、に基づいて、前記印刷データを生成する生成部と、前記生成部により生成された前記印刷データを前記画像形成装置に送信する送信部と、を備えている。
【発明の効果】
【００１１】
本発明の画像形成装置及び画像形成システムによれば、媒体収容部へ適合したサイズの記録媒体を収容した後に、該当する記録媒体のサイズのメニュー画面表示への割り付け設定が正しく行われなかった場合や、媒体収容部へ収容した記録媒体のサイズを忘れてしまった場合にも、画像形成動作時にサイズエラーが発生するのを有効に防止できる。
【図面の簡単な説明】
【００１２】
【図１】図１は図２中の１つの上位装置と画像形成装置を示す概略の構成ブロック図である。
【図２】図２は本発明の実施例１における画像形成システムの運用形態を示す図である。
【図３】図３は図２中の画像形成装置を示す概略の構成図である。
【図４】図４は図３の画像形成装置とトレイとの関係を示す平面図である。
【図５】図５は図２中の上位装置を示す概略の構成ブロック図である。
【図６】図６は実施例１における印刷ジョブデータのイメージを示す図である。
【図７】図７は実施例１におけるプリンタドライバのメニュー上の設定画面の例を示す図である。
【図８】図８は図１中のオペレーションパネルの設定画面の例を示す図である。
【図９】図９は実施例１におけるサイズチェック種別とその制御内容を示す図である。
【図１０】図１０は図５の上位装置における処理を示すフローチャートである。
【図１１Ａ】図１１Ａは図１の画像形成装置における処理を示すフローチャートである。
【図１１Ｂ】図１１Ｂは図１１Ａ中のステップＳ１８における印刷動作を示すフローチャートである。
【図１２】図１２は本発明の実施例２の１つの上位装置と画像形成装置を示す概略の構成ブロック図である。
【図１３】図１３は図１２の画像形成装置の処理を示すフローチャートである。
【図１４】図１４は図１３中のステップＳ２０の詳細な処理を示すフローチャートである。
【図１５】図１５は実施例２におけるサイズチェック中の印刷表示の例を示す図である。
【図１６】図１６は図１１Ａの処理の変形例を示すフローチャートである。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の構成）
図２は、本発明の実施例１における画像形成システムの運用形態を示す図である。
【００１５】
本実施例１の画像形成システムは、パーソナルコンピュータ（以下「ＰＣ」という。）等の情報処理装置としての複数の上位装置１０（＝１０−１０，１０−２１〜１０−２ｍ，１０−３１〜１０−３ｎ）と、共用プリンタとしての画像形成装置２０と、を備えている。複数の上位装置１０と画像形成装置２０とは、ローカルポートインタフェース（以下「ローカルポートＩ／Ｆ」という。）１１やネットワークインタフェース（以下「ネットワークＩ／Ｆ」という。）１２等の通信回線を介して、相互に通信可能に接続されている。
【００１６】
画像形成装置２０は、ユニバーサル・シリアル・バス（Universal  Serial  Bus：ＵＳＢ）、セントロニクス社仕様のシリアル／パラレルの双方向変換（以下「セントロ」という。）、アールエス２３２シー（Recommended  Standard  232  Version  C：ＲＳ−２３２Ｃ）等のローカルポートＩ／Ｆ１１を介して、上位装置１０−１０と通信可能に接続されている。又、画像形成装置２０は、ネットワークＩ／Ｆ１２を介して、複数の上位装置１０−２１〜１０−２ｍと通信可能に接続されている。更に、画像形成装置２０は、ネットワークＩ／Ｆ１２及びこのネットワークＩ／Ｆ１２上に設けられたサーバ１３を介して、複数の上位装置１０−３１〜１０−３ｎと通信可能に接続されている。
【００１７】
図３は、図２中の画像形成装置２０を示す概略の構成図である。
画像形成装置２０は、筐体２１を有し、この筐体２１の側面に、標準構成として、用紙等の記録媒体ＫＢを収容する手差しトレイ２２が設けられている。手差しトレイ２２は、一点鎖線で示された媒体搬送路ＢＳへ、手差しで記録媒体ＫＢを送り出すものである。筐体２１内の下部には、標準構成として、媒体収容部としての１つのトレイ２３（＝２３−１）が設けられ、更に、オプションとして、媒体収容部としての２つのトレイ２３（＝２３−２，２３−３）が追加搭載されている。複数のトレイ２３（＝２３−１〜２３−３）は、複数枚の記録媒体ＫＢをそれぞれ収容し、選択されると、収容されている複数枚の記録媒体ＫＢを媒体走行路ＢＳへ送り出すものである。
【００１８】
複数のトレイ２３（＝２３−１〜２３−３）は、同じサイズの記録媒体ＫＢを補充して収容すると共に、記録媒体ＫＢのサイズを変更して収容し、選択されると、収容されている複数枚の記録媒体ＫＢを媒体走行路ＢＳへ送り出す。各トレイ２３（＝２３−１〜２３―３）は、記録媒体ＫＢを載置する載置台２３ａ（＝２３−１ａ，２３−２ａ，２３−３ａ）、載置された記録媒体ＫＢを繰り出すポッピングローラ２３ｂ（＝２３−１ｂ，２３−２ｂ，２３−３ｂ）、及び、繰り出された記録媒体ＫＢを下流側へ送り出す搬送ローラ２３ｃ（＝２３−１ｃ，２３−２ｃ，２３−３ｃ）等を有している。搬送ローラ２３−１ｃの下流側には、媒体供給部としての供給ローラ２４を介して、画像形成部２５が配設されている。供給ローラ２４は、媒体走行路ＢＳに送り出された記録媒体ＫＢを画像形成部２５へ搬送するものである。
【００１９】
画像形成部２５には、像担持体としての感光体ドラム２８と、この感光体ドラム２８に静電荷を帯電させる帯電ローラ２６と、この帯電ローラ２６により帯電した感光体ドラム２８上に光を照射して露光することで露光部の電荷を変化させて静電潜像を形成する発光ダイオード（以下「ＬＥＤ」という。）ユニット２７と、現像剤としてのトナーαを収容するトナーカートリッジ２９と、が設けられている。画像形成部２５には、更に、トナーαを供給する供給ローラ３０と、この供給ローラ３０から供給されるトナーαを感光体ドラム２８に付着させて現像剤像としてのトナー像を形成する現像ローラ３１と、感光体ドラム２８上に形成されたトナー像を、供給ローラ２４により供給された記録媒体ＫＢ上に転写する転写ローラ３２と、が設けられている。
【００２０】
供給ローラ２４と感光体ドラム２６及び転写ローラ３２との間には、搬送された記録媒体ＫＢのサイズを検知するための検知部としての走行センサ２４ａが設けられている。ＬＥＤユニット２７による感光体ドラム２８の照射位置から転写ローラ３２に至るまでの感光体表面回転距離をＬとすると、走行センサ２４ａは、感光体ドラム２８が転写ローラ３２と接触する位置から（距離Ｌ＋書き出し開始マージンβ）の距離だけ供給ローラ２４の方向に配置されている。走行センサ２４ａが記録媒体ＫＢの先端を検知したタイミングに基づき、後述するエンジン部６１によりＬＥＤユニット２７による静電潜像の形成が開始され、走行センサ２４ａが記録媒体ＫＢの後端を検知したタイミングに基づき、静電潜像の形成を終了する。更に、後述するエンジン部６１により走行センサ２４ａが記録媒体ＫＢの先端を検知してから後端を検知するまでの時間と、予め決められた供給ローラ２４による媒体搬送速度と、に基づき、記録媒体ＫＢの搬送方向の長さを検出することで、画像形成を行った記録媒体ＫＢのサイズを判定可能としている。
【００２１】
画像形成部２５の下流側には、定着器３３が配設されている。定着器３３は、トナー像が形成された記録媒体ＫＢを加熱するヒートローラ３３ａと、記録媒体ＫＢに圧力を加えるバックアップローラ３３ｂと、を有し、記録媒体ＫＢ上に転写されたトナー像を加熱及び加圧して定着するものである。
【００２２】
定着器３３における記録媒体ＫＢの搬送方向の下流側には、複数の搬送ローラ３４，３５を介して、排出装置であるスタッカ３６が設けられている。複数の搬送ローラ３４，３５は、画像が定着された記録媒体ＫＢを媒体走行路ＢＳに沿ってスタッカ３６へ排出するものである。画像形成装置２０の背面側には、Ｉ／Ｆコネクタ３７が設けられている。Ｉ／Ｆコネクタ３７は、図２で説明した上位装置１０との通信Ｉ／Ｆとして、ローカルポートＩ／Ｆ１１及びネットワークＩ／Ｆ１２の接続部としての機能を有している。
【００２３】
図３において、記録媒体ＫＢは、一点鎖線の矢印で示された媒体走行路ＢＳ上の搬送ローラ２３ｃ、供給ローラ２４、及び搬送ローラ３４，３５を経由して、スタッカ３６へ排出されるように構成されている。
【００２４】
図４は、図３の画像形成装置２０と手差しトレイ２２及びトレイ２３との関係を示す上方から見た平面図である。
【００２５】
この図４には、記録媒体ＫＢの補充又は記録媒体ＫＢのサイズ変更のために、画像形成装置２０の１つのトレイ２３が引き出された状態が示されている。トレイ２３は、収容する記録媒体ＫＢのサイズ変更をするための横方向に移動可能な第１仕切り板２３ｄと、縦方向に移動可能な第２仕切り板２３ｅと、変更した記録媒体ＫＢのサイズが前面から見えるように設定しておくサイズダイヤル２３ｆと、を有している。
【００２６】
画像形成装置２０の上面手前には、オペレーションパネル３７が配設されている。オペレーションパネル３７には、例えば、液晶ディスプレイ（以下「ＬＣＤ」という。）からなるタッチパネル３７Ａ、テンキー３７ｅ、スタートボタン３７ｆ、及び交換完了ボタン３７ｇ等が左から右へ配列されている。タッチパネル３７Ａでは、トレイ２３−１を選択するトレイ選択ボタン３７ａ、トレイ２３−２を選択するトレイ選択ボタン３７ｂ、トレイ２３−３を選択するトレイ選択ボタン３７ｃ、及び手差しトレイ２２を選択する手差しトレイ選択ボタン３７ｄ等が、左から右へ配列されている。タッチパネル３７Ａは、ＬＣＤドットマトリックス方式、液晶パネル等により構成されている。
【００２７】
トレイ選択ボタン３７ａは、トレイ２３−１に収容されている記録媒体ＫＢのサイズ（例えば、Ａ４縦）を表示すると共に、トレイ２３−１に収容されている記録媒体ＫＢを選択する場合に押すボタンである。トレイ選択ボタン３７ｂは、トレイ２３−２に収容されている記録媒体ＫＢのサイズ（例えば、Ａ４横）を表示すると共に、トレイ２３−２に収容されている記録媒体ＫＢを選択する場合に押すボタンである。トレイ選択ボタン３７ｃは、トレイ２３−３に収容されている記録媒体ＫＢのサイズ（例えば、Ｂ４横）を表示すると共に、トレイ２３−３に収容されている記録媒体ＫＢを選択する場合に押すボタンである。手差しトレイ選択ボタン３７ｄは、手差しトレイ２２にセットされた記録媒体ＫＢを選択する場合に押すボタンである。テンキー３７ｅは、印刷枚数の入力等を行うボタンである。スタートボタン３７ｆは、全ての設定後に動作を開始するときに押すボタンである。更に、交換完了ボタン３７ｇは、記録媒体ＫＢの交換完了時にユーザが押すボタンである。
【００２８】
例えば、記録媒体ＫＢのサイズがＡ４横サイズに設定されているトレイ２３−２に、Ａ４横サイズの記録媒体ＫＢを補充する場合は、トレイ２３−２を引き出し、そのままＡ４横サイズの記録媒体ＫＢを補充する。この場合には、トレイ選択ボタン３７ｂの表示及びトレイ２３−２に対応したサイズダイヤル２３ｆはＡ４横に設定されているので、変更する必要がない。
【００２９】
一方、例えば、記録媒体ＫＢのサイズがＡ４横サイズに設定されているトレイ２３−２に、サイズの異なるＡ３横サイズの記録媒体ＢＫを収容したい場合は、トレイ２３−２を引き出し、変更したい記録媒体ＫＢのＡ３横サイズに合わせて、第１仕切り板２３ｄ及び第２仕切り板２３ｅの位置を設定し、設定したサイズに適合したＡ３横サイズの記録媒体ＫＢを補充して、この補充した記録媒体ＫＢのＡ３横サイズに、トレイ選択ボタン３７ｂの表示の割り付け及びトレイ２３−２に対応したサイズダイヤル２３ｆを合わせる。
【００３０】
図１は、図２中の１つの上位装置１０と画像形成装置２０を示す概略の構成ブロック図である。
【００３１】
画像形成装置２０は、複数の上位装置１０（＝１０−１０，１０−２１〜１０−２ｍ，１０−３１〜１０−３ｎ）と双方向、単方向を含めた全ての通信Ｉ／Ｆ上のデータを処理する入出力Ｉ／Ｆ５１を有している。入出力Ｉ／Ｆ５１には、制御部５２が接続されている。
【００３２】
制御部５２は、上位装置１０、エンジン制御部６０、及びエンジン部６１等との通信を行い、画像形成装置２０の全体を制御すると共に、画像形成装置２０内外部の全てのＩ／Ｆの管理を行うものである。制御部５２には、取得部としてのコマンド解析部５３が接続されている。
【００３３】
コマンド解析部５３は、上位装置１０から与えられる印刷データとしての印刷ジョブデータＪＤを解析して、この印刷ジョブデータＪＤに含まれる判定指示情報（特に、記録媒体ＫＢのサイズチェック種別ＪＤ１の情報）を取得するものである。コマンド解析部５３には、受信部としての通信部５４と、媒体サイズチェック判定部５５と、が接続されている。
【００３４】
通信部５４は、入出力Ｉ／Ｆ５１と接続されており、上位装置１０から送られてくる印刷ジョブデータＪＤや、状態の問い合わせコマンド等を、その入出力Ｉ／Ｆ５１を介して受信すると共に、必要に応じて、上位装置１０に応答情報を送信し、双方向通信を行った記録の管理を行うものである。
【００３５】
媒体サイズチェック判定部５５は、上位装置１０からの記録媒体ＫＢの判定指示情報としてのサイズチェック種別ＪＤ１の情報をコマンド解析部５３から受け取り、サイズチェック種別ＪＤ１の指定が行われているか否かを判断し、この判断結果を媒体サイズチェックフラグ５６に反映するものである。
【００３６】
媒体サイズチェックフラグ５６は、制御部５２に接続されており、サイズチェック種別ＪＤ１の指定が行われた場合、そのサイズチェック種別ＪＤ１の情報を画像形成装置２０内で参照する共有情報として設定されるものである。
【００３７】
制御部５２には、中央制御処理装置（以下「ＣＰＵ」という。）５７、編集部５８、展開部５９、エンジン制御部６０、エンジン部６１、設定部６３、記憶部６４、オペレーションパネル３７、記憶部としての不揮発性メモリ６６、及びランダムアクセスメモリ（以下「ＲＡＭ」という。）６７が接続されている。編集部５８、展開部５９、エンジン制御部６０，及びエンジン部６１は、相互に接続されている。設定部６３には、操作・表示部６２を介して、オペレーションパネル３７が接続されている。記憶部６４は、不揮発性メモリ６６に接続されている。
【００３８】
ＣＰＵ５７は、画像形成装置２０を動作させるためのハードウェアの中枢である。編集部５８は、印刷ジョブデータＪＤを解析し、この印刷ジョブデータＪＤ内の情報に応じた頁毎の情報をページディスクリプターとして印刷画像データを作成するものである。展開部５９は、編集部５８が作成した印刷画像データを解析し、印刷イメージデータとしてのビットマップデータパターンを生成し、エンジン制御部６０を介してエンジン部６１へ出力すると共に、出力するビットマップデータパターンの管理を行うものである。
【００３９】
エンジン制御部６０は、制御部５２と展開部５９とで印刷ジョブデータＪＤや設定データとして解析したデータを印刷するためにエンジン部６１へ送付するものである。エンジン制御部６０は、トレイ２３−１〜２３−３、及び手差しトレイ２２に収容されている記録媒体ＫＢの情報、記録媒体切れ、記録媒体補給時の変化、ジャムエラー等の一連の状態監視を行い、各状態監視情報を制御部５２へ通知するものである。エンジン部６１は、媒体走行路ＢＳにおける一連の画像形成動作を行うエンジン制御部６０により、印刷処理全体を管理するものである。
【００４０】
操作・表示部６２は、オペレーションパネル３７から入力された設定情報を、設定部６３を介して制御部５２に伝えるものである。更に、操作・表示部６２は、画像形成装置２０の状態や指示をオペレーションパネル３７のタッチパネル３７Ａ上に表示し、ユーザへ報知、伝達する制御を行う。
【００４１】
設定部６３は、画像形成装置２０の動作上のパラメータを設定するものであり、機能のオン／オフ、メニュー画面等による複数のパラメータの選択等により、動作上のパラメータの設定が、制御部５２を介して、記憶部６４に与えられる。記憶部６４は、設定部６３から与えられたパラメータ情報を不揮発性メモリ６６に書き込むものである。設定部６３により設定されたパラメータは、記憶部６４を介して、ＲＡＭ６７及び不揮発性メモリ６６にも記憶される。不揮発性メモリ６６は、第１サイズ情報としての媒体サイズ情報６６ａ等を記憶するものであり、電源のオン／オフ操作に影響することなく設定値を保持可能なメモリ、例えば、ハードディスクドライブ（以下「ＨＤＤ」という。）、フラッシュメモリ（以下「Ｆｌａｓｈ」という。）、エスデー（以下「ＳＤ」という。）メモリ、ＥＥＰＲＯＭ（Electrically  Erasable  Programmable  Read-only  Memory）等で構成されている。
【００４２】
オペレーションパネル３７は、タッチパネル３７Ａのスイッチ押下によるキー操作により、外部から画像形成装置２０へ指令し、タッチパネル３７Ａにその状態を表示するユーザＩ／Ｆ部分である。
【００４３】
不揮発性メモリ６６及びＲＡＭ６７は、登録するデータ、設定値、各カウンタ、状態遷移、ログ情報等の保存させる情報を管理するために、そのレイアウトを決定し、情報の読み出し・参照、書き込みの管理を行うものである。
【００４４】
本実施例１における「サイズチェック」のメニュー情報も、不揮発性メモリ６６及びＲＡＭ６７に格納して継続的に保持しながら管理する。ＲＡＭ６７は、画像形成装置２０内の制御にて、汎用に共通で使用する作業領域であるメモリ空間であり、電源のオフ操作により消去される。
【００４５】
前記制御部５２は、判定制御部５２ａ、第１判定部５２ｂ、及び第２判定部５２ｃ等を有している。第１判定部５２ｂは、不揮発性メモリ６６に記憶された媒体サイズ情報６６ａが、印刷ジョブデータＪＤに含まれる第２サイズ情報としての媒体サイズＪＤ２の情報に対応しているか否かを判定する機能を有している。第２判定部５２ｃは、走行センサ２４ａにより検知された記録媒体ＫＢのサイズの情報が、印刷ジョブデータＪＤに含まれる媒体サイズＪＤ２の情報に対応しているか否かを判定する機能を有している。更に、判定制御部５２ａは、コマンド解析部５３によって取得された判定指示情報としてのサイズチェック種別ＪＤ１の情報に基づいて、第１判定部５２ｂに判定させずに、第２判定部５２ｃに判定させる機能を有している。
【００４６】
例えば、判定制御部５２ａは、第１判定部５２ｂ又は第２判定部５２ｃの少なくとも１つで、第２サイズ情報としての媒体サイズＪＤ２に対応していないと判定されると、その旨を示す情報を出力する機能を有している。又、判定制御部５２ａは、判定指示情報としてのサイズチェック種別ＪＤ１に基づいて、第１判定部５２ｂに判定させずに第２判定部５２ｃに判定させるか、第１判定部５２ｂに判定させて第２判定部５２ｃに判定させるか、或いは、第１判定部５２ｂに判定させずに第２判定部５２ｃに判定させないか、のいずれか１つを選択する機能を有している。
【００４７】
図５は、図２中の上位装置１０を示す概略の構成ブロック図である。
複数の上位装置１０（＝１０−１０，１０−２１〜１０−２ｍ，１０−３１〜１０−３ｎ）は、画像形成装置２０と相互に通信可能に接続され、画像形成装置２０における印刷処理装置としての役割を担っている。上位装置１０は、プリンタドライバやユーティリティ等のソフトウェアを内部に備え、ユーザが印刷ジョブデータＪＤの作成、及び作成した印刷ジョブデータＪＤの画像形成装置２０への送信、ユーザが画像形成装置２０に対する設定変更、又は画像形成装置２０の状態の読み出し指令での双方向通信を用いた監視管理を行うものである。
【００４８】
上位装置１０は、表示部７１、表示制御部７２、操作部７３、キーボード７４、マウス７５、制御部７６、ＲＡＭ７７、ＣＰＵ７８、送信部としての双方向Ｉ／Ｆ７９、生成部としての印刷ジョブデータ作成部８０、プリンタドライバ情報作成部８１、指定部としての媒体サイズチェック指定部８２、記憶部８３、及び不揮発性メモリ８４を有している。
【００４９】
表示部７１は、画像形成システムの状態を画像としてモニタ表示し、ユーザに伝達、更に指示を促すためのハードウェア上のユーザＩ／Ｆであり、表示制御部７２と制御部７６とに接続されている。表示制御部７２は、表示部７１を制御するためのものであり、操作部７３と制御部７６とに接続されている。
【００５０】
操作部７３は、上位装置１０側のユーザＩ／Ｆとして、キーボード７４及びマウス７５のハードウェア信号を介して入力されたものを制御部７６に伝達するものである。キーボード７４は、上位装置１０内のユーザインタフェース上のキータッチ式の入力ハードウェアである。マウス７５は、上位装置１０内のユーザインタフェース上のボタンクリック式の入力ハードウェアである。
【００５１】
制御部７６は、上位装置１０の全体を管理するものである。ＲＡＭ７７は、制御部７６の制御にて、汎用に共通で使用する作業領域、即ち、メモリ空間ハードウェアである。ＣＰＵ７８は、上位装置１０を動作させるためのハードウェア制御のベースである。双方向Ｉ／Ｆ７９は、上位装置１０が画像形成装置２０と通信するための双方向通信を可能とするハードウェア制御部であり、制御部７６を介して、印刷ジョブデータ作成部８０に接続されている。この双方向Ｉ／Ｆ７９は、印刷ジョブデータ作成部８０で作成された印刷データＪＤを画像形成装置２０に送信する機能等を有している。
【００５２】
印刷ジョブデータ作成部８０は、画像形成装置２０へ送信する印刷ジョブデータＪＤを作成する制御部であり、画像データＪＤ３に、サイズチェック種別ＪＤ１を表す情報や画像データＪＤ３の媒体サイズＪＤ２を示す情報等を付加して印刷ジョブデータＪＤを作成する。プリンタドライバ情報作成部８１は、印刷ジョブデータＪＤの中身として、メニュー設定項目をユーザデフォルトへ設定変更するコマンド情報を添付するデータを作成する制御部であり、媒体サイズチェック指定部８２が接続されている。
【００５３】
媒体サイズチェック指定部８２は、画像形成装置２０に対して記録媒体ＫＢのサイズの指定方法を設定するものであり、第１判定部５２ｂに判定させずに、第２判定部５２ｃに判定させる旨を指定する機能（即ち、第１判定部５２ｂに判定させずに第２判定部５２ｃに判定させるか、第１判定部５２ｂに判定させて第２判定部５２ｃに判定させるか、又は、第１判定部５２ｂに判定させずに第２判定部５２ｃに判定させないか、のいずれか１つを指定する機能）を有している。
【００５４】
例えば、媒体サイズチェック指定部８２は、表示部７１に対し、第１の選択肢として、第１判定部５２ｂに判定させずに第２判定部５２ｃに判定させる旨の選択肢を、第２の選択肢として、第１判定部５２ｂに判定させて第２判定部５２ｃに判定させる旨の選択肢を、第３の選択肢として、第１判定部５２ｂに判定させずに第２判定部５２ｃに判定させない旨の選択肢を、表示させる機能を有している。又、媒体サイズチェック指定部８２は、デフォルトの選択として第２の選択肢が選択された状態で、表示部７１に、第１の選択肢、第２の選択肢、及び第３の選択肢を表示させる機能を有している。
【００５５】
記憶部８３は、上位装置１０側のＨＤＤ等の不揮発性メモリ８４にデータを登録するための制御部である。不揮発性メモリ８４は、上位装置１０側の電源のオン／オフ操作に関係なく、半永久にデータを格納するハードウェア領域である。
【００５６】
図６は、実施例１における印刷ジョブデータＪＤのイメージを示す図である。
この図６では、図５に示された上位装置１０内の印刷ジョブデータ作成部８０において作成され、画像形成装置２０へ送られる印刷データとしての印刷ジョブデータＪＢの例が示されている。印刷ジョブデータＪＢは、画像データＪＤ３に対して、判定指示情報としてのサイズチェック種別ＪＤ１を表す情報と、画像形成対象となる記録媒体ＫＢの第２サイズ情報としての描画サイズである媒体サイズＪＤ２を表す情報と、が付加されて構成されている。前記描画サイズとは、例えば、ユーザ操作に基づいて指定された画像形成対象となる記録媒体ＫＢのサイズ、或いは、画像データ自体のサイズ情報である。
【００５７】
例えば、サイズチェック種別ＪＤ１が「１．する」の場合は、「サイズチェックをする」であり、サイズチェック種別ＪＤ１が「２．しない」の場合は、「サイズチェックをしない」であり、サイズチェック種別ＪＤ１が「３．省略」の場合は、「サイズチェックの一部を省略する」である。媒体サイズＪＤ２は、例えば、「１．Ａ４」の場合がＡ４サイズ、「２．Ａ３」の場合がＡ３サイズ、「３．葉書」の場合が葉書サイズ等である。
【００５８】
図６のような印刷ジョブデータＪＤが画像形成装置２０で受信されると、図１中のコマンド解析部５３で、印刷ジョブデータＪＤ中のサイズチェック種別ＪＤ１が解析され、このサイズチェック種別ＪＤ１に基づいたサイズチェックが実行される。
【００５９】
図７は、実施例１におけるプリンタドライバのメニュー上の設定画面の例を示す図である。
【００６０】
プリンタドライバの設定画面９０における上部には、選択メニューとして、基本設定９１、詳細設定９２、その他設定９３が表示されている。図７に示された設定画面９０の例では、詳細設定９２が選択された画面であり、選択された「詳細設定」に下線が表示されている。
【００６１】
プロパティの詳細設定が選択され、画面中央に、媒体サイズチェック９４の設定領域が表示されている。媒体サイズチェック９４の設定領域には、「媒体サイズチェックする」、「媒体サイズチェックしない」、「媒体サイズチェック省略」のいずれか１つを選択するチェック欄が各項目の左に設けられており、図７に示された例では、「媒体サイズチェック省略」が選択されている。媒体サイズチェック９４の設定領域の右には、媒体指定領域９５が設けられており、図７に示された例では、Ａ４横が指定されている。
【００６２】
更に、媒体サイズチェック９４の設定領域の下方には、オーケ（ＯＫ）ボタン９６、キャンセルボタン９７、及びヘルプボタン９８が設けられている。ＯＫボタン９６は、設定した内容を決定して、次の設定画面に移行するときに押すボタンである。キャンセルボタン９７は、設定した内容を取り消すときに押すボタンである。ヘルプボタン９８は、操作方法が分からなくなったときに押すボタンである。尚、パラメータのデフォルトは、「媒体サイズチェックする」が継続されるが、ユーザの運用形態、要求によって、変更は可能である。
【００６３】
この媒体サイズチェック９４の設定は、製品（専用）プリンタドライバ使用時には、印刷ジョブデータＪＤ毎にその設定結果がコマンド指定として印刷ジョブデータＪＤ単位で追加されることになる。上位装置１０は、コマンドの指定によって媒体サイズチェック９４の種別を選択すると共に、印刷時の媒体サイズチェック９４の動作を指示することができる。画像形成装置２０は、上位装置１０からの指示に従って、画像形成時の媒体サイズチェック９４の種別を決定し、実行する。
【００６４】
図８は、図１中のオペレーションパネル３７の設定画面例を示す図である。
オペレーションパネル３７の設定画面１００には、メニュー項目として、カテゴリー１０１、機能項目１０２、設定値１０３、及びデフォルト１０４が表示されている。印刷設定のカテゴリー１０１に対する機能項目１０２は、コピー枚数、両面印刷、・・・、媒体サイズチェックである。コピー枚数の設定値１０３の範囲は、「１〜９９９」であり、デフォルト１０４は「１」である。両面印刷の設定値１０３は「オン」と「オフ」であり、デフォルトは「オフ」である。媒体サイズチェックの設定値１０３は、「チェックする」、「チェックしない」、「チェック省略」の３通りであり、デフォルト１０４は「チェックする」である。
【００６５】
図７に示されているプリンタドライバを使用する場合には、印刷ジョブデータＪＤ毎にその設定結果がコマンド指定として印刷ジョブデータＪＤ単位で追加されることから、図８に示された画像形成装置２０側の設定画面１００は影響を受けない。しかし、製品標準ドライバでなく、その機能がないプリンタドライバや、プリンタドライバを使用しない専用システムでの運用では、このコマンド指定が含まれておらず、その際には、図８に示された画像形成装置２０側の設定画面１００のメニュー設定が適用されることになる。
【００６６】
図９は、実施例１におけるサイズチェック種別とその制御内容を示す図である。
サイズチェック種別とその制御内容１１０として、サイズチェック種別（指定）１１１、媒体サイズチェック１１２、及び解説１１３の欄が設けられている。サイズチェック種別１１１として、デフォルトである「１：チェックする」、「２：チェックしない」、及び、「３：チェック省略」の３つの種別と、各種別の内容を解説した一覧が示されている。
【００６７】
媒体サイズチェック１１２を実行するタイミングとして、（Ａ）印刷起動時１１２−１１と、（Ｂ）印刷走行時１１２−２と、の２つのタイミングがあり、この２つのタイミングにおいて、媒体サイズチェック１１２を実行するかしないかの組合せとして、「１：チェックする」、「２：チェックしない」、及び、「３：チェック省略」、の３種類の種別が存在する。
【００６８】
ここで、（Ａ）印刷起動時１１２−１に「Ａ：チェックする」とは、印刷が実行される前に、画像データＪＤ３の媒体サイズＪＤ２と、画像形成装置２０が認識（検知）しているトレイ２３に収容された媒体サイズとを比較・チェックすることである。印刷起動時の媒体サイズチェックは、画像形成のための制御が、エンジン部６１に移行する前の段階で行われるものである。尚、トレイ２３への媒体サイズの割り付けは、その記録媒体ＫＢと画像形成装置２０の構成との関係で、自動検知、メニュー設定、媒体ダイアル方式等があるが、本実施例１では、自動検知以外の場合、即ち、メニュー設定や媒体ダイアル方式でその割り付けにユーザのマニュアル設定手順が発生する場合を想定している。
【００６９】
又、（Ｂ）印刷走行時１１２−２に「Ｂ：チェックする」とは、印刷動作の実行中で記録媒体ＫＢを搬送しながら、印刷ジョブデータＪＤ中の媒体サイズＪＤ２と、画像形成装置２０が認識しているトレイ２３に収容された記録媒体ＫＢのサイズと、を比較・チェックすることである。実際に記録媒体供給動作が行われた後、エンジン部６１で記録媒体ＫＢを走行しながら、適切な媒体サイズが供給されているかを記録媒体ＫＢが走行センサ２４ａ上を通過することで、その大きさを検出してその判断を行う。正規のサイズの記録媒体ＫＢがトレイ２３へセットされていても、エンジン部６１の媒体供給動作の制御の中でスキューや重送、ジャムとなればエラーとなる場合もある。
【００７０】
サイズチェック種別１１１の「１：チェックする」は、（Ａ）印刷起動時１１２−１及び（Ｂ）印刷走行時１１２−２に、印刷ジョブデータＪＤ中の媒体サイズＪＤ２と、画像形成装置２０が認識しているトレイ２３に収容されている記録媒体ＫＢのサイズと、を比較・チェックするサイズチェックの種別である。
【００７１】
サイズチェック種別１１１の「２：チェックしない」は、（Ａ）印刷起動時１１２−１及び（Ｂ）印刷走行時１１２−２のいずれの時にも、印刷ジョブデータＪＤ中の媒体サイズＪＤ２と、画像形成装置２０が認識しているトレイ２３に収容されている記録媒体ＫＢのサイズと、の比較・チェックを行わないサイズチェックの種別である。
【００７２】
更に、サイズチェック種別１１１の「３：チェック省略」は、（Ａ）印刷起動時１１２−１には、印刷ジョブデータＪＤ中の媒体サイズＪＤ２と、画像形成装置２０が認識しているトレイ２３に収容されている記録媒体ＫＢのサイズと、の比較・チェックを行わず、（Ｂ）印刷走行時１１２−２にのみ、印刷ジョブデータＪＤ中の媒体サイズＪＤ２と、画像形成装置２０が認識しているトレイ２３に収容されている記録媒体ＫＢのサイズと、を比較・チェックするサイズチェックの種別である。
【００７３】
本実施例１の特徴は、（Ａ）印刷起動時１１２−１のみ、サイズチェックを省略したインタフェースであるサイズチェック種別１１１の「３：チェック省略」を設けたことにある。例えば、画像形成装置２０のトレイ２３へ収容する記録媒体ＫＢのサイズを変更する場合、実際の記録媒体ＫＢをそのトレイ２３にセットした後、メニューの設定やサイズダイヤル２３ｆを適切な場所へ更新する必要あり、それを正確に行わないと、サイズエラーになって印刷ができなくなる。そこで、本実施例１では、サイズチェック種別１１１において、「３：チェック省略」を設けることにより、自動検知の記録媒体ＫＢと同等に記録媒体ＫＢだけを変更しての印刷の運用が可能になる。
【００７４】
尚、サイズチェック種別１１１において、「２：チェックしない」は、媒体サイズチェック１１２を（Ａ）印刷起動時１１２−１に実施せず、その後の（Ｂ）印刷走行時１１２−２にも実施しないことから、印刷制御として性能面や、ＲＡＭ６７の有効活用の面では、非効率である。更に、実際に印刷ジョブデータＪＤの媒体サイズＪＤ２と記録媒体ＫＢのサイズとが不一致な場合にも、そのまま一連の動作を行うことで、特に、記録媒体ＫＢのサイズがジョブデータＪＤの媒体サイズＪＤ２よりも小さい場合には、画像形成装置２０内部へのトナーの漏れやそのクリーニング動作等で非効率な動作であり、画像形成装置２０の磨耗を早める危険もある。これに対して、サイズチェック種別１１１の「３：チェック省略」は、（Ｂ）印刷走行時１１２−２に、サイズチェックを実施することから、「２：チェックしない」のように、画像形成装置２０内部へトナーが漏れることはなく、トナー漏れにより画像形成装置２０の磨耗を早める心配もない。
【００７５】
（実施例１の動作）
図１０は、図５の上位装置１０における処理を示すフローチャートである。
図５を参照しつつ、図１０に示されたフローチャートに沿って、上位装置１０における処理について説明する。
【００７６】
上位装置１０の処理が開始されると、ステップＳ１へ進む。ステップＳ１において、制御部７６は、媒体サイズチェックフラグの初期化を行い、ステップＳ２へ進む。媒体サイズチェックフラグの情報は、媒体サイズチェックの指定に、本実施例１のパラメータである「チェック省略」の指定が行われた場合、その情報を画像形成装置２０内での参照する共有情報として設定するものである。
【００７７】
ステップＳ２において、プリンタドライバの設定を選択し、ステップＳ３へ進む。ステップＳ３において、サイズチェック種別を選択すると共に、選択されたサイズチェック種別が「チェック省略」であるか否かを判定し、選択されたサイズチェック種別が「チェック省略」のときは（Ｙ）、ステップＳ４へ進み、選択されたサイズチェック種別が「チェック省略」でないときは（Ｎ）、ステップＳ６へ進む。ステップＳ４において、サイズチェック種別「チェック省略」のサイズチェックが実施され、ステップＳ５へ進む。ステップＳ５において、「チェック省略」のサイズチェックフラグがオンされ、ステップＳ９へ進む。
【００７８】
前記ステップＳ３からステップＳ６へ進んだ場合、サイズチェック種別が「実行する」なのか否かの判定をし、実行する場合には（Ｙ）、ステップＳ７へ進み、実行しない場合には（Ｎ）、ステップＳ８へ進む。ステップＳ７において、サイズチェックを実施し、ステップＳ９へ進む。ステップＳ８において、サイズチェックを実施せず、ステップＳ９へ進む。ステップＳ９において、印刷の実行として、印刷ジョブデータＪＤを画像形成装置２０へ送信して、上位装置１０における処理を終了する。
【００７９】
本実施例１では、ステップＳ３の媒体サイズチェック選択において、サイズチェック種別が「チェック省略」のとき、ステップＳ４へ進み、ステップＳ５において、ステップＳ１で初期化した媒体サイズチェックフラグをセットし、ステップＳ９の印刷ジョブデータＪＤの送信へ進む。ここまでが、上位装置１０側で実施される制御の内容となる。
【００８０】
図１１Ａは、図１の画像形成装置２０における処理を示すフローチャートである。
図１を参照しつつ、図１１のフローチャートに沿って、画像形成装置２０における処理について説明する。
【００８１】
画像形成装置２０における処理が開始されると、ステップＳ１１へ進む。ステップＳ１１において、上位装置１０から印刷の要求が有り、印刷ジョブデータＪＤが送られてくると、その印刷ジョブデータＪＤが、入出力Ｉ／Ｆ５１を介して通信部５４で受信され、この受信結果がコマンド解析部５３を介して制御部５２へ送られ、ステップＳ１２へ進む。
【００８２】
ステップＳ１２において、制御部５２内の判定制御部５２ａは、媒体サイズチェックフラグ５６のオン／オフを判定する。その媒体サイズチェックフラグ５６の設定は、図１０に示す上位装置１０の制御において、ステップＳ５の場面で、サイズチェック種別が「チェック省略」に指定された場合にセット（オン）されている。そのため、印刷ジョブデータＪＤの受信時に、「チェック省略」の指定がある場合には、制御ルートとして、ステップＳ１２の判定でオンとなり、ステップＳ１８へ進んで、制御部５２により、印刷動作が実行される。図９中のサイズチェック種別１１１の「３：チェック省略」が選択された場合に該当する。
【００８３】
一方、ステップＳ１２において、媒体サイズチェックフラグ５６がオフの場合には、ステップＳ１３へ進む。ステップＳ１３において、制御部５２内の判定制御部５２ａは、媒体サイズチェックを実施するか否かを判定し、実施する場合には（Ｙ）、ステップＳ１４へ進み、実施しない場合には（Ｎ）、ステップＳ１５へ進む。ステップＳ１５において、制御部５２は、その後のエンジン制御部６０でのサイズチェックを実施しないと設定し、ステップＳ１８へ進んで、印刷動作を実行する。これは、図９のサイズチェック種別１１１における「２：チェックしない」が選択された場合に該当する。
【００８４】
ステップＳ１３からステップＳ１４へ進んだ場合、制御部５２内の第１判定部５２ｂは、印制ジョブデータＪＤで指定された媒体サイズＪＤ２と、画像形成装置２０に割り付けられた記録媒体ＫＢのサイズと、が一致しているか否かを判定する。図９のサイズチェック種別１１１における「１：チェックする」が選択された場合に該当する。
【００８５】
ここで、選択されたトレイ２３に、あるサイズの記録媒体ＫＢを収容した際、選択されたトレイ２３に対応して記録媒体ＫＢのサイズを画像形成装置２０に認識させることを、「割り付ける」という。この割り付けは、その記録媒体ＫＢと画像形成装置２０の構成の関係で、自動検知、メニュー設定、媒体ダイアル方式、これらを組み合わせた方式等がある。更に、ハードウェアによる自動検知の仕組み以外は、メニューやダイアルの設定を使って割り付ける方法がある。
【００８６】
この結果、印刷ジョブデータＪＤ中の媒体サイズＪＤ２と、割り付けられた記録媒体ＫＢのサイズと、が一致していれば（Ｙ）、ステップＳ１８へ進んで印刷動作が実行され、一致していなければ（Ｎ）、ステップＳ１６へ進む。ステップＳ１６において、制御部５２は、印刷ジョブデータＪＤで指定された媒体サイズＪＤ２と一致するサイズの記録媒体ＫＢを画像形成装置２０の選択されたトレイ２３へセットし直すように、「媒体サイズの交換要求」をユーザインタフェースであるタッチパネル３７Ａ上に表示し、ステップＳ１７へ進む。
【００８７】
ステップＳ１７において、判定制御部５２ａは、記録媒体ＫＢのサイズが交換されたか否かをチェックする。自動検知式のトレイ２３であれば、直ぐにハードウェアで検出できるが、検出するハードウェアがないものは、トレイ２３の抜き差しと、その交換完了を示すオペレーションパネル３７上の交換完了ボタン３７ｇの押下が、チェックのアクションとされる。又は専用のスイッチを設置しても良い。
【００８８】
記録媒体ＫＢのサイズが交換されると（Ｙ）、ステップＳ１４に戻り、判定制御部５２ａは、再収容された記録媒体ＫＢが印刷ジョブデータＪＤで指定される媒体サイズＪＤ２と一致しているかを再チェックする。
【００８９】
尚、ステップＳ１７の再収容された記録媒体ＫＢは、その交換操作で正しいものと見なして、ステップＳ１４へ再ループせずに、ステップＳ１８へ進んで印刷動作を実行しても良い。この場合は、つまり、エンジン部６１の動作の中でのサイズチェックに委ねるということである。以上が画像形成装置２０の処理の手順である。
【００９０】
図１１Ｂは、図１１Ａ中のステップＳ１８における印刷動作を示すフローチャートである。
【００９１】
印刷動作が開始すると、ステップＳ２１において、判定制御部５２ａは、印刷ジョブデータＪＤ中のサイズチェック種別ＪＤ１に基づき、媒体サイズチェックを実施するか否かを判定し、実行しないときには（Ｎ）、ステップＳ２８へ進み、実施するときには（Ｙ）、ステップＳ２２へ進む。ステップＳ２２において、制御部５２は、エンジン制御部６０を制御し、該当するトレイ２３のホッピングローラ２３ｂ及び搬送ローラ２３ｃと、供給ローラ２４と、を回転させて、そのトレイ２３内の記録媒体ＫＢを走行センサ２４ａの方向へ供給させ、ステップＳ２３へ進む。
【００９２】
ステップＳ２３において、走行センサ２４ａにより、記録媒体ＫＢの先端及び後端から、記録媒体ＫＢの通過タイミングが検出され、この検出結果が制御部５２へ与えられる。制御部５２は、前記検出結果と記録媒体ＫＢの供給速度とに基づき、記録媒体ＫＢの長さから、記録媒体ＫＢのサイズを検知し、ステップＳ２４へ進む。ステップＳ２４において、制御部５２内の第２判定部５２ｃは、印刷ジョブデータＪＤ中の媒体サイズＪＤ２が、供給ローラ２４から供給された記録媒体ＫＢのサイズと、一致するか否かを判定し、一致するときには（Ｙ）、ステップＳ２８へ進み、一致しないときには（Ｎ）、ステップＳ２５へ進む。
【００９３】
ステップＳ２５において、制御部５２は、認識された記録媒体ＫＢのサイズが、媒体サイズＪＤ２と一致していないことを、ユーザに通知する。例えば、制御部５２は、印刷ジョブデータＪＢ中の媒体サイズＪＤ２と同じサイズの記録媒体ＫＢに交換するよう、図４中のタッチパネル３７Ａに表示してユーザに通知し、ステップＳ２６へ進む。ステップＳ２６において、制御部５２は、図１１Ａ中のステップＳ１７と同様に、選択されたトレイ２３に収容された記録媒体ＫＢが交換されたか否かを判定し、交換されていないときには（Ｎ）、ステップＳ２４へ戻り、交換されているときには（Ｙ）、ステップＳ２７へ進む。
【００９４】
ステップ２７において、制御部５２は、エンジン制御部６０を制御し、該当するトレイ２３のホッピングローラ２３ｂ及び搬送ローラ２３ｃと、供給ローラ２４と、を回転させて、そのトレイ２３内の記録媒体ＫＢを画像形成部２５側へ供給させ、ステップＳ２４へ戻る。ここで、選択されたトレイ２３内の記録媒体ＫＢが、正しいサイズのものに交換されたと仮定して、制御部５２は、図１１Ｂの破線で示されるように、例えば、ステップＳ２４へ戻らずに、直接、ステップＳ２７からステップＳ２８へ進むことが可能である。
【００９５】
ステップＳ２８において、制御部５２は、エンジン制御部６０を制御し、画像形成部２５によってトナー画像を形成させる。形成されたトナー画像は、転写ローラ３２によって記録媒体ＫＢ上に転写され、更に、定着器３３によって定着される。定着された記録媒体ＫＢは、搬送ローラ３４，３５によってスタッカ３６へ排出される。
【００９６】
本実施例１において、サイズチェック種別の選択は、プリンタドライバ等の上位装置１０上での印刷ジョブデータＪＤの送信時のメニュー画面、及び画像形成装置２０上の受信側のメニュー画面にて、その設定が可能である。
【００９７】
画像形成装置２０の共通環境として、複数のユーザが共有して使用する場合には、現在の「サイズチェックの種別」がどの設定で運用されているかをオペレーションパネル３７上の表示、又は上位装置１０側からアクセスでも見える情報ウェブページやステータスモニタで見えるようにさせると、ユーザフレンドリーである。
【００９８】
ユーザの運用形態、希望によっては、この表示の必要性の無い場合も有り得るので、その実施は選択できるように切り替えられるようにしておく。
【００９９】
（実施例１の効果）
本実施例１の画像形成装置２０及び画像形成システムによれば、ユーザが、選択されたトレイ２３に収容する記録媒体ＫＢのサイズを変更して画像形成を実行したい場合（図１１ＡのステップＳ１８）、メニュー画面（タッチパネル３７Ａ）又はサイズダイヤル２３ｆを操作して、選択されたトレイ２３に収容されている記録媒体ＫＢのサイズを画像形成装置２０に認識させる割り付けをしなくても、印刷起動時のサイズチェックを省略するサイズチェック種別１１１における「３：チェック省略」が設けられている。これにより、ユーザが、選択されたトレイ２３に収容する記録媒体ＫＢのサイズを変更した後に、メニュー画面（タッチパネル３７Ａ）又はサイズダイヤル２３ｆによるサイズの割り付けの操作等を実施しなくても、サイズチェックによるサイズエラーを回避して画像形成を実行することができる。
【０１００】
更に、ユーザが該当する記録媒体ＫＢのサイズの割り付けの設定をメニュー画面（タッチパネル３７Ａ）又はサイズダイヤル２３ｆで正しく行わなかった場合や、忘れてしまった場合にも、印刷動作時にサイズエラーを発生することなく、印刷の実行ができる効果が得られる。
【実施例２】
【０１０１】
（実施例２の構成）
図１２は、本発明の実施例２の１つの上位装置１０と画像形成装置２０Ａを示す概略の構成ブロック図であり、実施例１を示す図１中の要素と共通の要素には共通の符号が付されている。
【０１０２】
本実施例２の画像形成装置２０Ａは、実施例１の画像形成装置２０と構成及び機能が異なっている。この画像形成装置２０Ａは、実施例１と同様に、ローカルポートＩ／Ｆ１１、ネットワークＩ／Ｆ１２を介して、上位装置１０と通信可能に接続されている。
【０１０３】
画像形成装置２０Ａは、実施例１と同様のオペレーションパネル３７、入出力Ｉ／Ｆ５１、通信部５４、媒体サイズチェック判定部５５、媒体サイズチェックフラグ５６、ＣＰＵ５７、編集部５８、展開部５９、エンジン部６１、記憶部６４、不揮発性メモリ６６、及びＲＡＭ６７を有している。更に、画像形成装置２０Ａは、実施例１とは構成及び機能が異なる制御部５２Ａ、コマンド解析部５３Ａ、エンジン制御部６０Ａ、及び操作・表示部６２Ａと、新たに追加された媒体サイズ管理部１２１及び媒体補充・交換実行スイッチ１２２と、を有している。
【０１０４】
制御部５２Ａは、実施例１の制御部５２とは機能の異なる判定制御部５２ａ、第１判定部５２ｂ、及び第２判定部５２ｃを有している。この制御部５２Ａは、上位装置１０、エンジン制御部６０Ａ、及びエンジン部６１との通信を行い、画像形成装置２０Ａの全体を制御すると共に、画像形成装置２０Ａ内外部の全てのＩ／Ｆの管理を行うものである。制御部５２Ａには、コマンド解析部５３Ａが接続され、更に、設定部６３Ａを介して媒体補充・交換実行スイッチ１２２が接続されている。
【０１０５】
コマンド解析部５３Ａは、上位装置１０からの入力データの解析を行うものであり、実施例１のコマンド解析部５３と同様に、図９中のサイズチェック種別１１１の指定部分の解析に加え、図６に示された印刷ジョブデータＪＤ中の媒体サイズＪＤ２の情報の解析を行うものである。コマンド解析部５３Ａには、制御部５２Ａ、通信部５４、及び媒体サイズチェック判定部５５が接続されている。
【０１０６】
エンジン制御部６０Ａは、制御部５２Ａ、展開部５９、及びエンジン部６１に接続され、制御部５２Ａを中枢に印刷ジョブデータＪＤや設定データとして解析したデータを印刷するためにエンジン部６１へ送付するものである。エンジン制御部６０Ａは、複数のトレイ２３（＝２３−１〜２３−３）、及び各トレイ２３に収容されている記録媒体ＫＢの情報、記録媒体切れ、記録媒体補給時の変化、ジャム等のエラー状態を監視し、一連の状態監視を行い、各状態監視情報を制御部５２Ａへ通知するものである。
【０１０７】
操作・表示部６２Ａは、オペレーションパネル３７から入力された設定情報を、設定部６３Ａを介して制御部５２Ａに伝えるものである。設定部６３Ａは、画像形成装置２０Ａの動作を設定するものであり、機能のオン／オフ、メニュー画面等による複数のパラメータの選択等により、動作の設定が、制御部５２Ａを介して記憶部６４に与えられる。
【０１０８】
新たに追加された媒体サイズ管理部１２１は、記録媒体ＫＢのサイズ情報として、上位装置１０からの印刷ジョブデータＪＤで選択されるもの、又は画像形成装置２０に搭載されたメニュー（タッチパネル３７Ａ）やダイアル設定（サイズダイヤル２３ｆ）に割り付けられた記録媒体ＫＢのサイズを、その一致、差異を含めて全体の管理を行うものである。媒体サイズ管理部１２１は、制御部５２Ａを介してコマンド解析部５３Ａに接続されている。更に、媒体補充・交換実行スイッチ１２２は、記録媒体ＫＢの交換や補充がされたことを、画像形成装置２０Ａに認識させるためのスイッチであり、設定部６３Ａに接続されている。
【０１０９】
本実施例２の画像形成装置２０Ａ及び画像形成システムのその他の構成は、実施例１の画像形成装置２０及び画像形成システムの構成と同様である。
【０１１０】
（実施例２の動作）
本実施例２の上位装置１０の動作は、実施例１の動作と同様であるので省略する。
図１３は、図１２の画像形成装置２０Ａの処理を示すフローチャートであり、実施例１を示す図１１Ａ中の要素と共通の要素には共通の符号が付されている。
【０１１１】
本実施例２の図１３のフローチャートでは、実施例１の図１１Ａ中の印刷動作処理のステップＳ１８の前に、印刷準備動作処理のステップＳ２０が追加されている。図１３のその他のステップは、図１１Ａと同様である。
【０１１２】
本実施例２の画像形成装置２０Ａの処理が開始されると、ステップＳ１１へ進み、実施例１の画像形成装置２０と同様のステップＳ１１〜Ｓ１７の処理が行われ、実施例１とは異なるステップＳ２０へ進む。ステップＳ２０おいて、制御部５２Ａは、印刷準備動作の処理行い、ステップＳ１９へ進む。ステップＳ１９において、制御部５２Ａは、実施例１と同様に、印刷データが完了したか否かの判定を行い、完了していなければ（Ｎ）、ステップＳ１２へ戻り、ステップＳ１２〜Ｓ１９の処理を繰り返す。ステップＳ１９において、制御部５２Ａは、印刷データが完了したと判定すると（Ｙ）、処理を終了する。
【０１１３】
図１４は、図１３中のステップＳ２０の詳細な処理を示すフローチャートである。図１５（ａ）〜（ｃ）は、実施例２における媒体サイズチェック中の印刷表示の例を示す図である。
【０１１４】
図１５（ａ）は、通常時の印刷表示例、図１５（ｂ）は、図９におけるサイズチェック種別１１１の「３：チェック省略」の印刷表示例、及び、図１５（ｃ）は、そのサイズチェック種別１１１の「３：チェック省略」の他の印刷表示例である。
【０１１５】
図１２及び図１５（ａ）〜（ｃ）を参照しつつ、図１４のフローチャートに沿って、図１３中のステップＳ２０の詳細な処理について説明する。
【０１１６】
図１４の印刷準備動作において、印刷ジョブデータＪＤにおける記録媒体ＫＢの補充、交換実行、その後の運用時の図４中のタッチパネル３７Ａのようなユーザインタフェース（以下「ＵＩ」という。）表示が組み込まれている。
【０１１７】
図１３中のステップＳ２０の印刷準備動作の処理が開始されると、図１４中のステップＳ２１へ進む。ステップＳ２１において、コマンド解析部５３Ａは、制御部５２Ａを介して媒体サイズチェックフラグ５６を参照し、図６中のサイズチェック種別ＪＤ１の指示が、「３：省略」（即ち、サイズチェック種別「３」）であるか否かを判定し、サイズチェック種別ＪＤ１が「３」であれば（Ｙ）、ステップＳ２２へ進み、サイズチェック種別ＪＤ１が「３」でなければ（Ｎ）、ステップＳ２７へ進む。
【０１１８】
ステップＳ２２において、媒体サイズチェックモード「３」のＵＩ表示を行う。即ち、制御部５２Ａは、操作・表示部６２Ａを制御し、媒体サイズチェックモード「３」が選択されたことを、例えば、図４中のタッチパネル３７Ａに表示させる。
【０１１９】
ステップＳ２２における印刷表示の例が図１５（ａ）に示されている。この図１５（ａ）には、通常時の印刷表示として、（Ｌｉｎｅ１）“インサツチュウ２／５ページジョブ”、（Ｌｉｎｅ２）“トナーヲソロソロ  コウカンジュンビ  シテクダサイ”という印刷表示例が示されている。この印刷表示の状態において、上記のＵＩ表示を実行すると、図１５（ｂ）に示されているサイズチェック種別１１１の「３：チェック省略」の印刷表示例、即ち、（Ｌｉｎｅ１）“インサツチュウ２／５ページジョブ  ［サイズチェック−Ｎｅｗモード］”、（Ｌｉｎｅ２）“トナーヲソロソロ  コウカンジュンビ  シテクダサイ”の表示に変化する。
【０１２０】
更に、ステップＳ２３において、制御部５２Ａは、選択されたトレイ２３内の記録媒体ＫＢの媒体切れか否かを判定する。ステップＳ２３の判定結果が媒体切れで無い場合（Ｎ）、制御部５２Ａは、図１４の印刷準備動作を終了し、図１３中のステップＳ２０へ戻る。ステップＳ２３の判定結果が媒体切れの場合（Ｙ）、制御部５２Ａは、ステップＳ２４へ進む。ステップＳ２４において、制御部５２Ａは、操作・表示部６２Ａを制御し、タッチパネル３７Ａ上に、記録媒体ＫＢの補充又は交換をユーザに促すための表示を行わせ、記録媒体ＫＢの補充又は交換を待ち、ステップＳ２５へ進む。
【０１２１】
ステップＳ２５において、制御部５２Ａは、印刷ジョブデータＪＤ中の媒体サイズＪＤ２と、画像形成装置２０Ａのトレイ２３に割り付けられている記録媒体ＫＢのサイズと、が一致しているか否かを判定する。この際、制御部５２Ａは、例えば、メニュー画面（図４中のタッチパネル３７Ａ）又はサイズダイヤル２３ｆを介して、収容された記録媒体ＫＢのサイズを認識する。ステップＳ２５の判定結果が一致の場合（Ｎ）、制御部５２Ａは、図１４の印刷準備動作を終了し、図１３中のステップＳ２０へ戻る。ステップＳ２５の判定結果が不一致の場合（Ｎ）、ステップＳ２６へ進む。ステップＳ２６において、制御部５２Ａは、操作・表示部６２Ａを制御し、印刷ジョブデータＪＤ中の媒体サイズＪＤ２と、画像形成装置２０Ａによって認識された記録媒体ＫＢのサイズと、を表示させる。
【０１２２】
本実施例２は、ユーザが正しいサイズの記録媒体ＫＢを、選択されたトレイ２３に収容した後に、該当する記録媒体ＫＢのサイズの割り付け設定を、オペレーションパネル３７で正しく行わなかった場合や、忘れてしまった場合には、印刷動作時にサイズエラーが発生してしまうという問題に対して、ユーザが認識している記録媒体ＫＢのサイズを収容するだけで画像形成動作を継続させるものであり、ステップＳ２５の判定において、それが一致していなくても画像形成動作を可能とさせるものである。一致していない場合、ステップＳ２６において、制御部５２Ａは、操作・表示部５２Ａを制御し、画像形成装置２０Ａのトレイ２３に収容されて割り付けられている記録媒体ＫＢのサイズと、印刷ジョブデータＪＤ中の媒体サイズＪＤ２と、を同時に表示させ、ユーザにその状態を知らせる。
【０１２３】
表示例として、（Ｌｉｎｅ１）“インサツチュウ２／５ページジョブ［サイズチェック−Ｎｅｗモード］”、（Ｌｉｎｅ２）“ジョブデータサイズ：Ａ４／ソウチセッテイサイズ：Ｌｅｔｔｅｒ”が、図１５（ｃ）に示されている。この表示例では、画像形成装置２０Ａのトレイ２３に収容されて割り付けられている記録媒体ＫＢのサイズがレターサイズであるが、印刷ジョブデータＪＤ中の媒体サイズＪＤ２は、Ａ４であり、媒体サイズＪＤ２と、記録媒体ＫＢのサイズ設定メニュー（タッチパネル３７Ａ）やサイズダイヤル２３ｆの表示内容と、は不一致な状態であることを意味する。その後、制御部５２Ａは、図１４の印刷準備動作を終了し、図１３中のステップＳ２０へ戻る。
【０１２４】
一方、図１４のステップＳ２１において、サイズチェック種別ＪＤ１が「３．省略」ではなく、「１．する」及び「２．しない」の場合には、ステップＳ２７へ進む。ステップＳ２７において、制御部５２Ａは、選択されたトレイ２３が媒体切れか否かをチェックする。媒体切れでなければ（Ｎ）、制御部５２Ａは、図１４の印刷準備動作を終了し、図１３中のステップＳ２０へ戻る。ステップＳ２７の判定結果が媒体切れの場合（Ｙ）、制御部５２Ａは、ステップＳ２８へ進む。ステップＳ２８において、制御部５２Ａは、操作・表示部６２Ａを制御し、タッチパネル３７Ａ上に、記録媒体ＫＢの補充又は交換をユーザに促すための表示を行わせ、記録媒体ＫＢの補充又は交換を待ち、ステップＳ２９へ進む。
【０１２５】
ステップＳ２９において、制御部５２Ａは、サイズチェック種別ＪＤ１の指示が「１．する」か、「２．しない」かを判定し、「１．する」の場合は（Ｙ）、ステップＳ３０へ進む。「２．しない」の場合は（Ｎ）、印刷ジョブデータＪＤ中の媒体サイズＪＤ２と、トレイ２３に収容されて割り付けられている記録媒体ＫＢのサイズと、が不一致であっても、サイズチェックエラーにならないことから、制御部５２Ａは、図１４の印刷準備動作を終了し、図１３中のステップＳ２０へ戻る。
【０１２６】
ステップＳ３０において、制御部５２Ａは、印刷ジョブデータＪＤ中の媒体サイズＪＤ２と、選択されたトレイ２３に収容されていると認識されている記録媒体ＫＢのサイズと、が一致するか否かを判定し、一致する場合（Ｙ）、図１４の印刷準備動作を終了し、図１３中のステップＳ２０へ戻る。ステップＳ３０の判定結果が一致しない場合（Ｎ）、ステップＳ３１へ進む。ステップＳ３１において、制御部５２Ａは、操作・表示部６２Ａを制御し、印刷ジョブデータＪＤで指定された媒体サイズＪＤ２の記録媒体ＫＢを、画像形成装置２０Ａの選択されたトレイ２３にセットし直すように、「記録媒体ＫＢのサイズの交換要求」をタッチパネル３７Ａ上に表示（即ち、通知）させ、ステップＳ３２へ進む。
【０１２７】
ステップＳ３２において、制御部５２Ａは、記録媒体ＫＢのサイズが交換済か否かを判定し、交換済であれば（Ｙ）、ステップＳ３０へ戻る。トレイ２３が自動検知式のトレイであれば、ハードウェアにより直ちに検出ができるが、検出するハードウェアがない場合には、トレイ２３の抜き差しとその交換完了を示す図４中のオペレーションパネル３７上の交換完了ボタン３７ｇの押下で確認のアクションがされる。又は、交換完了ボタン３７ｇに代えて、専用のスイッチを設置しても良い。
【０１２８】
ステップＳ３２からステップＳ３０に戻った場合、制御部５２Ａは、ステップＳ３０にて、再収容された記録媒体ＫＢが印刷ジョブデータＪＤ中の媒体サイズＪＤ２と一致しているか否かを再チェックする。
【０１２９】
尚、ステップＳ３２において、記録媒体ＫＢのサイズ交換済の判定により、正しいものと見なして、ステップＳ３０へ戻る処理を省略し、破線で示されるように、直ちに、図１４の印刷準備動作を終了して、図１３中のステップＳ２０へ戻り、ステップＳ１８にて印刷動作を実行するようにしても良い。この場合は、エンジン部６１の動作の中でのサイズチェックに委ねることになる。
【０１３０】
（実施例２の効果）
本発明の実施例２によれば、実施例１と同様の効果がある。更に、ユーザが媒体サイズを変更する場合に、画像形成装置２０Ａ上で該当する媒体サイズの割り付けを不要とするＩ／Ｆで動作する時の表示、及び媒体サイズＪＤ２と割り付けられている記録媒体ＫＢのサイズが不一致である場合に、その違いを明示する通知手段を設けている。この結果、画像形成装置２０Ａを共用するユーザ全員に、媒体サイズＪＤ２とトレイ２３に割り付けられている記録媒体ＫＢのサイズの状態を明示でき、その後に状態を継続し、誤った動作を発生させることなく、実行できる効果が得られる。
【０１３１】
（変形例）
本発明は、上記実施例１、２に限定されず、種々の利用形態や変形例が可能である。この利用形態や変形例として、例えば、次の（１）〜（５）のようなものがある。
【０１３２】
（１）  図１６は、図１１Ａの処理の変形例を示すフローチャートである。
この図１６のフローチャートでは、図１１ＡのステップＳ１６，Ｓ１７の処理に代えて、これとは異なるステップＳ４１〜Ｓ４３の処理が行われ、他のステップＳ１１〜Ｓ１５，Ｓ１８〜Ｓ１９の処理は、図１１Ａの処理と同一である。
【０１３３】
図１６のフローチャートのステップＳ１４において、図１の制御部５２内の第１判定部５２ｂは、図６の印刷ジョブデータＪＤ中の媒体サイズＪＤ２が、選択されたトレイ２３内の記録媒体ＫＢのサイズと同一か否かを判定し、同一のときには（Ｙ）、図１１Ａと同様のステップＳ１８へ進み、異なるときには（Ｎ）、図１１Ａとは異なるステップＳ４１へ進む。ステップＳ４１において、制御部５２は、エンジン制御部６０を制御し、記録媒体ＫＢを走行センサ２４ａの方向へ供給させ、ステップＳ４２へ進む。
【０１３４】
ステップＳ４２において、制御部５２は、走行センサ２４ａによって検出された記録媒体ＫＢの先端のタイミングと後端のタイミングとから、その記録媒体ＫＢの通過タイミングを取得し、ステップＳ４３へ進む。ステップＳ４３において、制御部５２内の図示しない書換部は、不揮発性メモリ６６に記憶された媒体サイズ情報６６ａを、走行センサ２４ａによって検出された記録媒体ＫＢのサイズへ書き換える。その後、制御部５２は、図１１Ａと同様の印刷動作のステップＳ１８へ進む。このような図１６の処理に変更しても、実施例１と略同様の効果が得られる。
【０１３５】
（２）  実施例１、２では、サイズチェックについて、印刷ジョブデータＪＤの画像形成時の媒体サイズＪＤ２と、画像形成装置２０がトレイ２３に収容されていると認識している記録媒体ＫＢのサイズと、が合っているか否かを判定すると説明したが、媒体サイズＪＤ２及び記録媒体ＫＢのサイズに限定されない。例えば、印刷ジョブデータＪＤの要求する記録媒体ＫＢの厚さ、材質、フォーマットの有無等と、トレイ２３に収容されている記録媒体ＫＢの厚さ、材質、フォーマットの有無等との適合性を判定するようにしても良い。
【０１３６】
（３）  実施例１、２では、サイズチェック種別ＪＤ１として、図７及び図８に示した３種類の種別に固定した例を示したが、サイズチェック種別ＪＤ１は３種類に限定されない。ユーザの運用用途によって、新規な制御パラメータ、例えば、トレイ２３、記録媒体ＫＢのサイズ、両面印印刷の有無等をサイズチェック種別ＪＤ１に割り当てられるよう、その制御プログラムを登録、又は削除できるようにすることによって、更なる拡張性、運用に対して柔軟な制御が得られる。
【０１３７】
（４）  実施例１、２では、上位装置１０内の印刷ジョブデータ作成部８０にて作成される印刷ジョブデータＪＤを、画像形成装置２０，２０Ａ内のコマンド解析部５３，５３Ａ及び媒体サイズチェック判定部５５で解析・判定して、サイズチェック種別ＪＤ１の「３．省略」を判定すると説明したが、サイズチェック種別ＪＤ１の「３．省略」の指定は、印刷ジョブデータＪＤを介する方法に限定されない。例えば、画像形成装置２０，２０Ａ内のオペレーションパネル３７上に、サイズチェック種別の指定可能なメニュー画面を設け、このメニュー画面から、サイズチェック種別ＪＤ１の「３．省略」を直接指定できるようにしても良い。
【０１３８】
（５）  実施例１、２では、画像形成装置２０，２０Ａは、プリンタであるとして説明したが、ＭＦＰ（マルチファンクションプリンタ）、ファクシミリ装置、スキャナや、証書、小切手、為替、及びトラベラーズチェック発行機等の複数のトレイ２３、更には、複数のスタッカ３６等のような排出装置を有する装置全般に適用が可能である。
【符号の説明】
【０１３９】
１０，１０−１０，１０−２１〜１０−２ｍ，１０−３１〜１０−３
上位装置（情報処理装置）
２０，２０Ａ        画像形成装置
１１        ローカルポートＩ／Ｆ
１２        ネットワークＩ／Ｆ
２３，２３−１〜２３−３      トレイ（媒体収容部）
２３ｆ        サイズダイヤル
２４ａ        走行センサ（検知部）
２４        供給ローラ（媒体供給部）
２５        画像形成部
３７        オペレーションパネル
３７Ａ        タッチパネル
３７ａ，３７ｂ，３７ｃ，３７ｄ        トレイ選択ボタン
５２，５２Ａ        制御部
５２ａ        判定制御部
５２ｂ        第１判定部
５２ｃ        第２判定部
５３，５３Ａ        コマンド解析部（取得部）
５４      通信部（受信部）
５５        媒体サイズチェック判定部
５６        媒体サイズチェックフラグ
５８        編集部
５９        展開部
６０，６０Ａ        エンジン制御部
６１        エンジン部
６２，６２Ａ        操作・表示部
６３，６３Ａ        設定部
６６        不揮発性メモリ（記憶部）
６６ａ        媒体サイズ情報（第１サイズ情報）
７１        表示部
７９        双方向Ｉ／Ｆ（送信部）
８０        印刷ジョブデータ作成部（生成部）
８２        媒体サイズチェック指定部（指定部）
１２１        媒体サイズ管理部
１２２        媒体補充・交換実行スイッチ
ＪＤ        印刷ジョブデータ（印刷データ）
ＪＤ１        サイズチェック種別（判定指示情報）
ＪＤ２        媒体サイズ（第２サイズ情報）
ＪＤ３        画像データ
ＫＢ        記録媒体
【図１】
2014240192.tif 000003
【図２】
2014240192.tif 000004
【図３】
2014240192.tif 000005
【図４】
2014240192.tif 000006
【図５】
2014240192.tif 000007
【図６】
2014240192.tif 000008
【図７】
2014240192.tif 000009
【図８】
2014240192.tif 000010
【図９】
2014240192.tif 000011
【図１０】
2014240192.tif 000012
【図１１Ａ】
2014240192.tif 000013
【図１１Ｂ】
2014240192.tif 000014
【図１２】
2014240192.tif 000015
【図１３】
2014240192.tif 000016
【図１４】
2014240192.tif 000017
【図１５】
2014240192.tif 000018
【図１６】
2014240192.tif 000019